(57)【要約】      （修正有）【課題】配線ダクトが方立から突出することのない収納棚を提供する。【解決手段】前方に開口する棚収納空間に設けられる複数の棚板と、複数の棚板に亘って上下に設けられ棚板上の収納空間の左右方向の側壁となる方立２と、を備えた収納棚であって、方立２の後端面２１から棚板が設けられる側の側面２２にかけて、後方および側面２２側の側方２３に開口し、上下方向を長手方向とする凹所２０が形成され、凹所２０に、側方２３に開口し、上下方向を長手方向とする配線ダクト６が収納される。【選択図】図１
2014108184.tif 000002
【特許請求の範囲】
【請求項１】
前方に開口する棚収納空間に設けられる複数の棚板と、
複数の前記棚板に亘って上下に設けられ前記棚板上の収納空間の左右方向の側壁となる方立と、を備えた収納棚であって、
前記方立の後端面から前記棚板が設けられる側の側面にかけて、後方および前記側面側の側方に開口し、上下方向を長手方向とする凹所が形成され、
前記凹所に、前記側方に開口し、上下方向を長手方向とする配線ダクトが収納されることを特徴とする収納棚。
【請求項２】
前記配線ダクトに、前記配線ダクトの開口を閉塞する、上下方向に複数配置されるカバーが装着され、
前記棚板の後端は、前記配線ダクトの後端および前記カバーの後端よりも後側に位置しており、
前記配線ダクトおよび前記配線ダクトに装着された前記カバーは前記凹所内に収納されることを特徴とする請求項１記載の収納棚。
【請求項３】
前記カバーの上端部または下端部に、配線コードが挿通可能な配線用スリットが形成され、
前記配線用スリットが前記棚板の位置する高さに配置されることを特徴とする請求項２記載の収納棚。
【発明の詳細な説明】
【技術分野】
【０００１】
本発明は、収納棚に関するものである。
【背景技術】
【０００２】
従来より、前方に開口する棚収納空間に設けられる複数の棚板と、複数の棚板に亘って上下に設けられる方立（縦板）とを備えた収納棚が知られている（例えば特許文献１参照）。この収納棚には、照明器具等の電気機器が設けられ、この電気機器からの配線が収納される配線ダクトが設けられている。棚板には、その後端で且つ方立が設けられる側の側端に切欠が形成され、この切欠に収納されるように、方立の後端に配線ダクトが上下方向を長手方向として設けられる。
【先行技術文献】
【特許文献】
【０００３】
【特許文献１】特開２０１１−３０３８４号公報
【発明の概要】
【発明が解決しようとする課題】
【０００４】
しかしながら、この従来の収納棚にあっては、配線ダクトが方立から突出するものであるため、見栄えが悪いとともに、この部分に収納物が載置できないものであった。
【０００５】
本発明は上記従来の問題点に鑑みて発明したものであって、その目的とするところは、配線ダクトが方立から突出することのない収納棚を提供することを課題とするものである。
【課題を解決するための手段】
【０００６】
上記課題を解決するために、本発明は、以下のような構成とする。
【０００７】
前方に開口する棚収納空間に設けられる複数の棚板と、複数の前記棚板に亘って上下に設けられ前記棚板上の収納空間の左右方向の側壁となる方立と、を備えた収納棚であって、前記方立の後端面から前記棚板が設けられる側の側面にかけて、後方および前記側面側の側方に開口し、上下方向を長手方向とする凹所が形成され、前記凹所に、前記側方に開口し、上下方向を長手方向とする配線ダクトが収納されることを特徴とする。
【０００８】
また、前記配線ダクトに、前記配線ダクトの開口を閉塞する、上下方向に複数配置されるカバーが装着され、前記棚板の後端は、前記配線ダクトの後端および前記カバーの後端よりも後側に位置しており、前記配線ダクトおよび前記配線ダクトに装着された前記カバーは前記凹所内に収納されることが好ましい。
【０００９】
また、前記カバーの上端部または下端部に、配線コードが挿通可能な配線用スリットが形成され、前記配線用スリットが前記棚板の位置する高さに配置されることが好ましい。
【発明の効果】
【００１０】
本発明の収納棚にあっては、配線ダクトが方立から突出することがなく、見栄えが悪くなるとともに配線ダクトが突出する部分に収納物が載置できなくなるのが抑制される。
【図面の簡単な説明】
【００１１】
【図１】本発明の一実施形態の収納棚における方立への配線ダクトの取り付けを説明する分解斜視図である。
【図２】収納棚の一実施形態の正面図である。
【図３】収納棚の他の実施形態を正面側より見た斜視図である。
【図４】配線ダクトを示し、（ａ）は一部斜視図であり、（ｂ）は長手方向から見た図である。
【図５】配線ダクトが取り付けられた方立を示し、（ａ）は斜視図であり、（ｂ）は配線ダクトが取り付けられた部分の側面図である。
【図６】方立に配線ダクトが収納された収納棚の棚板を透過した要部斜視図である。
【図７】カバーが設けられる実施形態の収納棚の前方より見た一部側板を透過した斜視図である。
【図８】カバーを示し、（ａ）は斜視図であり、（ｂ）は長手方向から見た図である。
【図９】（ａ）（ｂ）は最下位置のカバーの装着を説明する棚板を透過した要部斜視図である。
【図１０】（ａ）（ｂ）は下から二番目以降のカバーの装着を説明する棚板を透過した要部斜視図である。
【図１１】カバーからの配線コードの導出を説明する要部斜視図である。
【図１２】カバーの取り外しを説明する要部斜視図である。
【発明を実施するための形態】
【００１２】
以下、本発明を添付図面に示す実施形態に基いて説明する。収納棚は、図２または図３に示すように、複数の棚板１と、方立２とを備えるものである。
【００１３】
収納棚は、棚収納空間３に設けられる。棚収納空間３は、少なくとも前方（図２または図３において手前側）に開口するもので、天板と側板と底板と背板とを備えるキャビネットの内部空間が好適に挙げられる。キャビネットは、天板と側板と底板と背板のうちの一部がなくてもよく、図２に示す実施形態におけるキャビネット４は、棚板１と側板４１と背板４２と、左右方向に仕切る仕切板４３とを備え、天板と底板を備えていない。また、図示しないが、前方への開口を開閉する扉が設けられていてもよい。また、前述のようなキャビネット４の内部空間が棚収納空間３となるのではなく、図３に示す実施形態のように、部屋の壁に形成された掘込み凹所が棚収納空間３となってもよい。
【００１４】
棚板１は、板面を略上下方向に向けて、棚収納空間３の左右の全長または一部に亘って、且つ、棚収納空間３の前後の全長または一部に亘って設けられ、その上面上が収納空間となるものである。図２または図３に示す実施形態においては、板面は平面視において棚収納空間３内に収納される略矩形状をしており、一定の厚みの無垢の木材、合板やパーティクルボードや繊維板等の木質材、合成樹脂、金属等により形成されるが、特に限定されない。この棚板１は、上下に間隔をあけて複数設けられ、この複数の棚板１に亘って方立２が設けられる。
【００１５】
方立２は、板面を略左右方向に向けて、収納空間の左右方向の側壁を構成する板状のもの（縦板）である。方立２は、棚板１の左右方向の中間部において、上下に並設される複数の棚板１に亘って設けられる仕切板として機能するものでもよい。また、方立２は、棚板１の左右方向の端部に設けられる、上記キャビネット４の側板４１のようなものでもよく、図２に示す実施形態においては、キャビネット４の側板４１と仕切板４３が方立２となっており、棚板１はキャビネット４の左右の側板４１間に架設されている。図３に示す実施形態においては、仕切板が方立２となっている。図２または図３に示す実施形態においては、方立２は左右方向から見て略矩形状をしており、一定の厚みの無垢の木材、合板やパーティクルボードや繊維板等の木質材、合成樹脂、金属等により形成されるが、特に限定されない。棚板１と方立２との連結は、ダボ結合が好適に用いられるが、特に限定されない。
【００１６】
収納棚には、照明器具等の電気機器（不図示）が設けられ、この電気機器からの配線コード５（図６参照）が収納される配線ダクト６が設けられる。配線ダクト６は、平面視における一方に開口し、上下方向を長手方向とするものである。図４に示す実施形態においては、底片６１と、底片６１の両端から該底片６１に直交するように連設される側片６２と、を備え、更に、側片６２の先端に後述するカバー７が装着される略Ｌ字状をしたカバー装着部６３が設けられている。底片６１には、ビスや釘等の固着具６５（図１参照）が挿通される固着具挿通孔（不図示）が形成される。なお、配線ダクト６の形状は図４に示す形状に限定されず、断面Ｕ字状等でもよい。
【００１７】
方立２には、配線ダクト６を収納する凹所２０が形成される。図１に示すように、凹所２０は、方立２の後端面２１の左右方向の中間部から、方立２の棚板１が設けられる側の側面２２の後端部にかけて、後方および前記側面２２の方向（側方２３とする）に開口するものである。凹所２０は、上下方向を長手方向とし、水平断面は長手方向に一様となっている。方立２は、主に合成樹脂や金属で形成されるが、特に限定されず、他の材料により形成されてもよい。図１に示す実施形態においては、方立２の上下方向における中間部に凹所２０が形成されている。
【００１８】
凹所２０には配線ダクト６が収納されるのであるが、配線ダクト６は、図１に示すように、開口の方向が側方２３を向くように凹所２０に収納される。収納された配線ダクト６は、図５に示すように、方立２の後端面２１よりも後方へ突出せず、且つ、方立２の側面２２よりも側方２３へ突出しないもので、配線ダクト６と凹所２０は前記を満たす寸法関係となるように形成される。凹所２０に収納された配線ダクト６は、底片６１の固着具挿通孔に固着具６５が挿通されて、方立２の凹所２０の内面に固着される。
【００１９】
図６に示すように、収納棚に設けられた電気機器からの配線コード５が配線ダクト６に収納されると、配線コード５は棚板１を跨いで挿通され、所望の配置が可能となる。また、配線ダクト６が方立２から突出しないため、配線ダクト６が目立って見栄えが悪くなるといったことが抑制される。また、配線ダクト６が方立２から突出しないため、配線ダクト６が突出する部分に収納物が載置できないといったことが抑制される。
【００２０】
また、配線ダクト６に、その開口を閉塞するカバー７が設けられることが好ましい。カバー７が設けられる実施形態について図７〜図１２に基いて説明する。
【００２１】
カバー７は、図７に示すように、方立２のカバー装着部６３（図４参照）に装着される。カバー７は、図８に示すように、覆い片７１と、覆い片７１の両端から該覆い片７１に直交するように連設される装着片７２と、を備え、更に、装着片７２の内側面に引っ掛け片７３が突設されている。カバー７は、主に合成樹脂や金属で形成されるが、特に限定されないが、弾性を有する部材により形成される。図４に示すように、方立２の両方のカバー装着部６３の先端部には、互いに離れる方向に引っ掛り片６４が突設されている。そして、カバー７の装着片７２が、配線ダクト６のカバー装着部６３に被嵌され、引っ掛け片７３が引っ掛り片６４を乗り越えることで、カバー７が配線ダクト６に装着される。
【００２２】
カバー７は、上下に複数分割されるのが好ましい。本実施形態においては、図７に示すように、カバー７の長さは、上下に隣接する棚板１の間隔と略同じ長さに形成されている。またカバー７は、軟質の合成樹脂等の容易に変形する材料により形成されるのが好ましい。
【００２３】
カバー７の取り付けについて説明する。まず、最下位置のカバー７が取り付けられるもので、図９（ａ）に示すように、カバー７の下端部が、該カバー７が配置される箇所の下側の棚板１の上方において、カバー装着部６３に装着される。次に、図９（ｂ）に示すように、カバー７の下端部より上側も全てカバー装着部６３に装着され、カバー装着部６３に装着された状態でカバー７全体が下方へスライドされ、所定の位置に配置される。この所定の位置は、本実施形態においては図７に示すように、最下位置の棚板１と下から二番目の棚板１の間の部分である。
【００２４】
次に、下から二番目のカバー７が取り付けられるもので、図１０（ａ）に示すように、カバー７の上端部が、該カバー７が配置される箇所の上側の棚板１の下方において、カバー装着部６３に装着される。次に、図１０（ｂ）に示すように、カバー７の上端部より下側も全てカバー装着部６３に装着され、カバー装着部６３に装着された状態でカバー７全体が上方へスライドされ、所定の位置に配置される。この所定の位置は、本実施形態においては図７に示すように、下から二番目の棚板１と下から三番目の棚板１の間の部分である。下から三番目のカバー７以降は、下から二番目の棚板１と同様に配置される。
【００２５】
このようにすることで、方立２と棚板１とが組み合わされて収納棚が形成された後でも、分割された各カバー７を配線ダクト６に装着すればよく、作業性がよいものである。
【００２６】
また、カバー７には、図８に示すように、上端部または下端部（本実施形態においては上端部７５）に、配線コード５が挿通される配線用スリット７４が形成されている。これにより、図１１に示すように、配線コード５が配線用スリット７４から導出され、上下に隣接するカバー７の間に隙間が形成されてこの隙間から配線コード５が挿通されるようにする必要がない。また、カバー７の上端部７５と下端部とが上下の棚板１の位置（好ましくは棚板１の厚み内の位置）となるようにすることで、上下に隣接するカバー７の突き合せ端部の継ぎ目が見えず、見栄えが低下するのが抑制される。
【００２７】
図７に示す実施形態においては、棚板１と方立２とはダボ結合により連結され、棚板１の側端面と方立２の側面２２とが略隙間無く当接している。そして、棚板１の後端は、配線ダクト６の後端（すなわち後側の側片６２の後面）およびカバー７の後端よりも後側に位置している。
【００２８】
カバー７の取り外しについて説明する。まず、最上位置のカバー７が上方へスライドされる。ここで、配線ダクト６は、最上位置のカバー７が上方にスライドする余剰スペースを有するものとする。図１２に示すように、先端が鉤状となった工具８の先端が上から二番目のカバー７の配線用スリット７４に挿通され、工具８が前方に引かれることでカバー７の上端部７５が配線ダクト６のカバー装着部６３から外れる。次に、このカバー７の上端部７５より下側も全てカバー装着部６３から取り外され、このカバー７が配線ダクト６から取り外される。上から三番目のカバー７以降は、上から二番目の棚板１と同様に取り外される。また、最上位置のカバー７も、下方へスライドされた状態で、上から二番目の棚板１と同様に取り外される。  
【符号の説明】
【００２９】
１    棚板
２    方立
２０  凹所
２１  後端面
２２  側面
２３  側面の方向
３    棚収納空間
４    キャビネット
４１  側板
４２  背板
４３  仕切板
５    配線コード
６    配線ダクト
６１  底片
６２  側片
６３  カバー装着部
６４  引っ掛り片
６５  固着具
７    カバー
７１  覆い片
７２  装着片
７３  引っ掛け片
７４  配線用スリット
７５  上端部
８    工具
【図１】
2014108184.tif 000003
【図２】
2014108184.tif 000004
【図３】
2014108184.tif 000005
【図４】
2014108184.tif 000006
【図５】
2014108184.tif 000007
【図６】
2014108184.tif 000008
【図７】
2014108184.tif 000009
【図８】
2014108184.tif 000010
【図９】
2014108184.tif 000011
【図１０】
2014108184.tif 000012
【図１１】
2014108184.tif 000013
【図１２】
2014108184.tif 000014